(57)【特許請求の範囲】
【請求項１】
橋梁の桁下裏面側に設けられた支持部材間に取り付けられる本体部と、
上記本体部の内部に収納された吸音材と、
上記本体部の長手方向の両側面に設けられた深さが異なる凹部が階段状に形成された切欠部とを備え、
上記切欠部は、
上記本体部の内側に向けて第一深さを有し、上記支持部材のフランジ部に係合され、上記本体部を支持する第一凹部と、
上記第一凹部と連続し該第一凹部よりも深い第二深さを有し、上記支持部材のフランジ部が挿入可能な第二凹部とを有していることを特徴とする吸音パネル。
【請求項２】
上記第二凹部は、上記第一凹部が上記支持部材のフランジ部に係合された際に、最奥部と該支持部材のフランジ部の先端部との間の懐長が、上記本体部の側面と該支持部材のフランジ部の先端部との間の係り長よりも長くなるように形成されていることを特徴とする請求項１記載の吸音パネル。
【請求項３】
上記第二凹部は、上記支持部材のフランジ部の厚さよりも大きな幅を有していることを特徴とする請求項１又は請求項２記載の吸音パネル。
【請求項４】
上記第一凹部は、上記支持部材のフランジ部に係合された際に、該支持部材のウェブと上記本体部の側面との間のクリアランスが、該本体部の側面と該支持部材のフランジ部の先端部との間の係り長よりも大きくなるように形成されていることを特徴とする請求項１乃至３のうちの何れか１項記載の吸音パネル。
【請求項５】
上記本体部の側面には、上記第二凹部の下部に、該本体部の側面よりも該本体部の長手方向に突出した突出部が形成されており、
上記突出部は、上記第一凹部が上記支持部材のフランジ部に係合された際に、隣り合う当該吸音パネルの突出部と先端部同士が当接されるように設けられていることを特徴とする請求項１乃至４のうちの何れか１項記載の吸音パネル。
【請求項６】
上記本体部の背面は、波板状に形成されていることを特徴とする請求項１乃至５のうちの何れか１項記載の吸音パネル。
【請求項７】
上記本体部は、矩形状の背面と該背面の長手方向に位置する側面とが一体成形された第一本体部材と、矩形状の表面と該表面の長手方向と略直交する幅方向に位置する端面とが一体成形された第二本体部材とを有し、該第一本体部材と該第二本体部材とが組み合わされることで設けられていることを特徴とする請求項１乃至６のうちの何れか１項記載の吸音パネル。
【請求項８】
上記支持部材のウェブを挟んで相対する互いに隣り合う当該吸音パネルは、それぞれ、該支持部材のウェブにＬ字金具によって固定され、
上記一片が上記本体部の背面に固定された一対のＬ字金具は、他片を該支持部材のウェブを挟んで対向させ、該支持部材のウェブの一つの取付孔に、固定部材によって固定されていることを特徴とする請求項１乃至７のうちの何れか１項記載の吸音パネル。
【請求項９】
上記吸音材は、スペーサを介して、上記本体部の表面上に、該本体部の表面との間に空間部を有するように配設されていることを特徴とする請求項１乃至８のうちの何れか１項記載の吸音パネル。
【発明の詳細な説明】
【技術分野】
【０００１】
本発明は、高架道路、高架鉄道等の桁下裏面の小梁等の支持部材間に取り付けられる吸音パネルに関する。
【背景技術】
【０００２】
例えば、高架道路や高架鉄道等（以下、単に、高架道路等ともいう。）の桁下裏面に設けられた小梁間には、交通騒音レベルの低減のため、地上の一般道路等の交通騒音等を吸音する吸音パネルが設置されている。この吸音パネルは、内部に騒音等を吸音する吸音材が収納されており、交通騒音等を吸音する。更に、吸音パネルは、高架道路等の裏面部となるとともに、高架道路等の施工、点検及び補修等の作業時に作業用の足場となる。
【０００３】
このような吸音パネルは、従来下記に示すように小梁間に取り付けられている。具体的に、特許文献１の吸音パネルは、上面を小梁の下側フランジ部の底面に当接させて、この下側フランジ部にボルトで締結されることで、小梁間に取り付けられている。
【０００４】
しかしながら、特許文献１の吸音パネルでは、小梁に仮置きすることが出来ず、作業性が悪い。更に、特許文献１の吸音パネルでは、作業者が上面に乗った場合に、この歩廊荷重をボルトだけで支持することとなり、支持力が弱い。更に、特許文献１の吸音パネルでは、ボルトが切断されると脱落してしまうので、別途、脱落防止部材等を用意する必要があり、作業性が悪い。
【０００５】
また、特許文献２の吸音パネルでは、側面に断面略コ字状の切欠部が設けられており、この切欠部内に小梁の下側フランジ部が挿入されて、切欠部の上部壁である吸音パネルの平坦な背面が下側フランジ部の上面に係合されて、小梁に取り付けられている。このような特許文献２の吸音パネルは、切欠部によって下側フランジ部に係合されているので、小梁に仮置きすることが出来、特許文献１の吸音パネルよりも大きな歩廊荷重を支持することが出来、脱落を防止することが出来る。
【０００６】
しかしながら、特許文献２の吸音パネルでは、切欠部内に小梁の下側フランジ部を挿入するために、小梁の長手方向の端部から順送りして取り付ける必要がある。よって、特許文献２の吸音パネルでは、例えば小梁の長手方向の中央部等の中途部に、小梁の下側フランジ部の下方から取り付けることが出来ず、作業性が悪い。
【先行技術文献】
【特許文献】
【０００７】
【特許文献１】特許第４５１８７０５号公報
【特許文献２】特開２００９−０６８３２５号公報
【発明の概要】
【発明が解決しようとする課題】
【０００８】
本発明は、以上のような課題に鑑みてなされたものであり、施工作業性が良好で容易に取り付け設置することが出来る吸音パネルを提供することを目的とする。
【課題を解決するための手段】
【０００９】
本発明の吸音パネルは、橋梁の桁下裏面側に設けられた支持部材間に取り付けられる本体部と、上記本体部の内部に収納された吸音材と、上記本体部の長手方向の両側面に設けられた深さが異なる凹部が階段状に形成された切欠部とを備える。そして、上記切欠部は、上記本体部の内側に向けて第一深さを有し、上記支持部材のフランジ部に係合され、上記本体部を支持する第一凹部と、上記第一凹部と連続し該第一凹部よりも深い第二深さを有し、上記支持部材のフランジ部が挿入可能な第二凹部とを有している。
【００１０】
更に、上記第二凹部は、支持部材のフランジ部を挿入出来るように、上記第一凹部が上記支持部材のフランジ部に係合された際に、最奥部と該支持部材のフランジ部の先端部との間の懐長が、上記本体部の側面と該支持部材のフランジ部の先端部との間の係り長よりも長くなるように形成されているようにしてもよい。
【００１１】
更に、上記第二凹部は、支持部材のフランジ部を挿入出来るように、上記支持部材のフランジ部の厚さよりも大きな幅を有しているように構成してもよい。
【００１２】
更に、上記第一凹部は、上記支持部材のフランジ部に係合された際に、該支持部材のウェブと上記本体部の側面との間のクリアランスが、該本体部の側面と該支持部材のフランジ部の先端部との間の係り長よりも大きくなるように形成されているようにしてもよい。これにより、吸音パネルは、取り付け時に、支持部材のウェブに接触したり、引っ掛かったりすることを防止することが出来る。
【００１３】
更に、上記本体部の側面には、上記第二凹部の下方に、該本体部の側面よりも該本体部の長手方向に突出した突出部が形成されており、上記突出部は、上記第一凹部が上記支持部材のフランジ部に係合された際に、隣り合う当該吸音パネルの突出部と先端部同士が当接されるように設けられているようにしてもよい。これにより、吸音パネルは、支持部材のフランジ部を覆うことが出来、より一層高い吸音率で吸音することが出来る。
【００１４】
更に、上記本体部の背面は、波板状に形成されているようにしてもよい。これにより、吸音パネルは、より一層大きな歩廊荷重を支持することが出来る。
【００１５】
更に、上記本体部は、矩形状の背面と該背面の長手方向に位置する側面とが一体成形された第一本体部材と、矩形状の表面と該表面の長手方向と略直交する幅方向に位置する端面とが一体成形された第二本体部材とを有し、該第一本体部材と該第二本体部材とが組み合わされることで設けられているようにしてもよい。これにより、吸音パネルは、本体部の加工工数が少なくてすみ、安価に製造することが出来る。
【００１６】
更に、上記支持部材のウェブを挟んで相対する互いに隣り合う当該吸音パネルは、それぞれ、上記支持部材のウェブにＬ字金具によって固定され、上記一片が上記本体部の背面に固定された一対のＬ字金具は、他片を該支持部材のウェブを挟んで対向させ、該支持部材のウェブの一つの取付孔に、固定部材によって固定されているようにしてもよい。これにより、支持部材のウェブに形成する取付孔の数を減らすことが出来、支持部材のウェブの強度を維持することが出来る。
【００１７】
更に、上記吸音材は、スペーサを介して、上記本体部の表面上に、該本体部の表面との間に空間部を有するように配設されているようにしてもよい。これにより、吸音パネルは、より一層高い吸音率で吸音することが出来る。
【発明の効果】
【００１８】
本発明の吸音パネルによれば、切欠部の第一凹部が、支持部材のフランジ部に係合されることで、取付作業の際に仮置きすることが出来、従来よりも大きな歩廊荷重を支持することが出来、脱落を防止することが出来る。
【００１９】
更に、本発明の吸音パネルによれば、切欠部の第二凹部が、第一凹部と連続し第一凹部よりも深さを有し、支持部材のフランジ部が挿入可能に設けられているので、取付作業の際に、本体部の一端側の第二凹部内に一方の支持部材のフランジ部を挿入することによって、本体部の他端側と他方の支持部材のフランジ部との間に間隙を形成することが出来、本体部の他端側を、他方の支持部材のフランジ部の下方から上方へ設けることで、支持部材間に容易に取り付けることが出来る。
【図面の簡単な説明】
【００２０】
【図１】本発明を適用した吸音パネルが高架道路等の桁下裏面側の横梁間に取り付けられた様子を示した縦断面図である。
【図２】本発明を適用した吸音パネルが高架道路等の桁下裏面側の横梁間に取り付けられた様子を示した側面図である。
【図３】本発明を適用した吸音パネルを示した斜視図である。
【図４】本発明を適用した吸音パネルを示した幅方向の縦断面図である。
【図５】本発明を適用した吸音パネルを示した長手方向の縦断面図である。
【図６】Ｌ字金具を示した縦断面図である。
【図７】本発明を適用した吸音パネルを横梁に取り付ける様子を示した概略図である。
【図８】本発明を適用した吸音パネルを横梁に取り付ける様子を示した概略図である。
【発明を実施するための形態】
【００２１】
以下、本発明を適用した吸音パネルについて、図面を参照して説明する。なお、説明は以下の順序で行う。
１．概説
２．吸音パネル
２−１  本体部
２−２  吸音材
２−３  切欠部
２−４  Ｌ字金具
３．取付方法
４．効果
５．変形例
【００２２】
＜１．概説＞
図１に示すように、例えば高架道路や高架鉄道等２（以下、単に、高架道路等ともいう。）の桁下裏面には、交通騒音レベルの低減のため、地上の一般道路３等の交通騒音等を吸音する吸音パネル１が設置されている。具体的に、吸音パネル１は、高架道路等２の桁下裏面側に吊り材４によって吊り下げられた支持部材となる横梁５，５間に、水平方向に取り付けられている。
【００２３】
ここで、高架道路等２の裏面側に主桁から吊り材４で吊り下げられた横梁５は、図２に示すように、例えばＨ形鋼であって、図示例では高架道路等２の長手方向に間隔をあけて、道路幅方向に略水平に設置されている。このとき、横梁５は、ウェブ８を挟んで一対のフランジ部６，７が高さ方向に並ぶように設けられている。
【００２４】
このような横梁５，５間に取り付けられる吸音パネル１は、高架道路等２の長手方向に隣り合う横梁５，５間にそれぞれ設けられ、地上の一般道路３等を走行する車両の騒音等を吸音する。更に、吸音パネル１は、高架道路等２の裏面部となるとともに、高架道路等２の施工、点検及び補修等の作業時に作業用の足場ともなる。
【００２５】
＜２．吸音パネル＞
具体的に、図３に示すように、吸音パネル１は、本体部１０と、この本体部１０の内部に収納された吸音材２０と、本体部１０の長手方向の両側面１０ｂ，１０ｃに設けられた深さが異なる階段状の切欠部３０とを備えている。
【００２６】
＜２−１  本体部＞
本体部１０は、図３及び図４に示すように、例えば、一枚のアルミ材から、矩形状の背面１０ａとこの背面１０ａの長手方向に位置する側面１０ｂ，１０ｃとが一体成形された第一本体部材１１ａと、矩形状の表面１０ｄとこの表面１０ｄの長手方向と略直交する幅方向に位置する端面１０ｅ，１０ｆとが一体成形された第二本体部材１１ｂとを有している。即ち、本体部１０は、断面略コ字状に形成された二つの部材から成る。このような本体部１０は、第一本体部材１１ａと第二本体部材１１ｂとが組み合わされることで、内部に、吸音材２０が収納される空間部が形成された直方体状に設けられている。本体部１０は、二つの部材から成ることで、加工工数が少なくてすみ、安価に製造することが出来る。
【００２７】
なお、本体部１０は、二つの部材から成るように形成されていれば良く、例えば、第一本体部材１１ａが、背面１０ａと端面１０ｅ，１０ｆとから成るようにしても良く、背面１０ａと側面１０ｂ，１０ｃと端面１０ｅ，１０ｆとから成るようにしても良い。
【００２８】
更に、本体部１０の背面１０ａは、折り曲げ成形されており、幅方向に、山部１２と谷部１３とが順次連続した波形状の断面を有する波板のように設けられている。従って、背面１０ａは、平坦な場合よりも大きな剛性を有し、より一層大きな歩廊荷重を支持することが出来る。
【００２９】
更に、この背面１０ａの長手方向の端部１０ｇ，１０ｇの近傍の山部１２上には、後述するＬ字金具４０によって横梁５に固定される際に、締結部材４１が挿通される挿通部１４が形成されている。挿通部１４は、例えば、背面１０ａを貫通する円形状の貫通孔であり、ここでは、背面１０ａの長手方向の一端部１０ｇの近傍に二個、他端部１０ｇの近傍に二個、合計四個形成されている。なお、挿通部１４は、長孔や切欠きであっても良く、形状及び個数は適宜変更可能である。
【００３０】
更に、本体部１０の表面１０ｄは、表裏に貫通した貫通孔が所定のピッチで複数個形成されたパンチング加工が施されており、所謂パンチングメタル状に設けられている。更に、表面１０ｄ上には、図４に示すように、スペーサ２１を介して、吸音材２０が配設されている。
【００３１】
＜２−２  吸音材＞
本体部１０の内部に収納され、表面１０ｄ上に配設される吸音材２０は、所謂グラスウールに代表されるようなガラス繊維集合体や、綿やポリエステル等の合成樹脂製の不織布等で構成されており、図３に示すように、表面１０ｄの略全域を覆うように設けられている。このような吸音材２０は、図４に示すように、スペーサ２１を介して、表面１０ｄとの間に空間部２２を有するように、表面１０ｄ上に配設されている。
【００３２】
そして、吸音材２０を支持するスペーサ２１は、吸音材２０と同じ又は異なる吸音機能を有する材質で長尺状に形成されており、吸音材２０と同様に吸音機能を有している。このようなスペーサ２１は、長手方向を表面１０ｄの長手方向に向けて、幅方向に所定の間隔をあけて複数個設けられている。なお、スペーサ２１は、長手方向を表面１０ｄの幅方向に向けて、長手方向に所定の間隔をあけて複数個設けるようにしてもよい。
【００３３】
このような吸音材２０は、騒音源から発せられて表面１０ｄの貫通孔を通過して空間部２２に入射された音を吸音する。このとき、吸音材２０は、スペーサ２１によって空間部２２を有するように設けられているので、表面１０ｄに直接配設される場合よりも、地上側への漏れが低減されて、高い吸音率で吸音することが出来る。更に、吸音パネル１は、吸音材２０の地上への露出が低減されることで、景観性の向上を図ることが出来る。更に、吸音パネル１は、吸音材２０を支持するスペーサ２１も吸音機能を有することにより、より一層高い吸音率で吸音することが出来る。なお、スペーサ２１は、吸音機能を有していなくてもよい。
【００３４】
＜２−３  切欠部＞
更に、本体部１０の長手方向の側面１０ｂ，１０ｃには、図３に示すように、深さが異なる凹部が階段状に形成された切欠部３０が設けられている。なお、切欠部３０は、本体部１０の一側面１０ｂと他側面１０ｃとで同じ構成を有しているので、ここでは、一側面１０ｂの切欠部３０について説明し、他側面１０ｃの切欠部３０については同じ符号を付して説明を省略する。
【００３５】
具体的に、図５に示すように、切欠部３０は、本体部１０の内側に向けて第一深さを有する第一凹部３１と、この第一凹部３１と連続し、第一凹部３１よりも深い第二深さを有する第二凹部３２とを有している。これら第一凹部３１及び第二凹部３２は、本体部１０の一端面１０ｅから他端面１０ｆに亘って形成されている。
【００３６】
第一凹部３１は、図４に示すように、例えば、上部の高さが背面１０ａの谷部１３の高さと一致するように設けられており、横梁５の下側フランジ部６が切欠部３０内に挿入された際に、天面部３１ａ（谷部１３）が下側フランジ部６の上面６ａと係合される。従って、吸音パネル１は、取付作業の際に、下側フランジ部６に仮置きすることが出来る。更に、吸音パネル１は、脱落を防止することが出来、従来よりも大きな歩廊荷重を支持することが出来る。更に、吸音パネル１は、背面１０ａが波板状に設けられているので、背面１０ａが平坦なものよりも大きな歩廊荷重を支持することが出来る。
【００３７】
更に、第一凹部３１は、図５に示すように、天面部３１ａ（谷部１３）が下側フランジ部６と係合された際に、横梁５のウェブ８と背面１０ａの長手方向の一端部１０ｇとの間のクリアランスＡが、背面１０ａの長手方向の一端部１０ｇと下側フランジ部６の先端部６ｂとの間の係り長Ｂよりも大きくなるように形成されている。
【００３８】
更に、第二凹部３２は、第一凹部３１よりもさらに深く形成されており、第一凹部３１の天面部３１ａ（谷部１３）が下側フランジ部６と係合された際に、下側フランジ部６の先端部６ｂと第二凹部３２の最深部３２ａとの間の懐長Ｃが、係り長Ｂよりも長くなるように形成されている。更に、第二凹部３２は、高さ方向において、下側フランジ部６の厚さＤよりも大きな縦幅Ｅを有するように形成されている。
【００３９】
従って、吸音パネル１は、一側面１０ｂ側の第二凹部３２内に下側フランジ部６の先端部６ｂを挿入させることで、一端側に係り長Ｂの長さ以上移動させることが出来る。このとき、下側フランジ部６の奥行き、即ちクリアランスＡ＋係り長Ｂは、一端部１０ｇから第二凹部３２の最深部３２ａまでの距離、即ち係り長Ｂ＋懐長Ｃよりも大きく、クリアランスＡ＞懐長Ｃを満たすように設定されている。従って、吸音パネル１がウェブ８に接触したり、引っ掛かったりすることを防止することが出来る。
【００４０】
更に、本体部１０の一側面１０ｂには、第二凹部３２の下部に、背面１０ａの長手方向の一端部１０ｇよりも一端側に突出した突出部３３が形成されている。突出部３３は、第一凹部３１の天面部３１ａ（谷部１３）が下側フランジ部６と係合された際に、高架道路等２の長手方向に隣り合う他の吸音パネル１の他側面１０ｃの突出部３３と、先端部３３ａ，３３ａ同士が当接されるように設けられている。
【００４１】
これにより、突出部３３は、隣り合う他の吸音パネル１の突出部３３とともに、横梁５の下側フランジ部６を覆うことが出来る。従って、突出部３３は、下側フランジ部６が吸音パネル１，１間から地上に露出されている場合よりも、下側フランジ部６を覆った分、高い吸音率で吸音することが出来る。
【００４２】
このような切欠部３０は、図８に示すように、吸音パネル１の長手方向における一端側の第二凹部３２の最深部３２ａに対して下側フランジ６の先端部６ｂを奥まで挿入した状態で、他端側の切欠部３０では下側フランジ６から完全に天面部３１ａが外れた状態となり、且つ、この天面部３１ａが外れた他端側の上端部位を下側フランジ６の下面よりも低位置となるように、吸音パネル１を回転させることが出来るように構成されている。
【００４３】
＜２−４  Ｌ字金具＞
このような吸音パネル１は、図６に示すように、第一凹部３１の天面部３１ａ（谷部１３）が下側フランジ部６に係合されて、下側フランジ部６に仮置きされた後に、Ｌ字金具４０によって、横梁５のウェブ８に固定される。
【００４４】
具体的に、Ｌ字金具４０は、仮置きされた各吸音パネル１において、一方の片４０ａが背面１０ａの山部１２上に配設され、ボルト４１ａが、背面１０ａの裏面側から山部１２の挿通部１４、一方の片４０ａの挿通孔４２ａの順に挿通された後に、一方の片４０ａの上面側でナット４１ｂが締め付けられることで、一方の片４０ａが背面１０ａに固定される。更に、Ｌ字金具４０は、横梁５に相対する一対の吸音パネル１，１の他方の片４０ｂ，４０ｂをこの横梁５のウェブ８を挟み込むように設けた後に、ボルト４３ａが、一方の吸音パネル１の他方の片４０ｂの挿通孔４２ｂ、ウェブ８の取付孔８ａ、他方の吸音パネル１の他方の片４０ｂの挿通孔４２ｂの順に挿通され、ナット４３ｂが締め付けられることで、一対の吸音パネル１，１の他方の片４０ｂ，４０ｂがウェブ８に固定される。以上のようにして、Ｌ字金具４０は、仮置きされた各吸音パネル１を横梁５のウェブ８に固定する。
【００４５】
このように一対の吸音パネル１，１を一つの取付孔８ａに固定する場合には、一対の吸音パネル１，１を異なる取付孔８ａ，８ａに固定する場合よりも、ウェブ８に形成する取付孔８ａの数を減らすことが出来る。よって、加工工数を減らすことが出来るとともに、ウェブ８の強度を維持することが出来る。更に、一対の吸音パネル１，１を異なる取付孔８ａに固定する場合には、背面１０ａの山部１２の挿通部１４を、幅方向で異ならせるように形成する必要があるが、一対の吸音パネル１，１を一つの取付孔８ａに固定する場合には、背面１０ａの山部１２の挿通部１４を、幅方向に一致するように形成することが出来、加工工数を減らすことが出来る。
【００４６】
なお、吸音パネル１は、ボルト４１ａ，４３ａ及びナット４１ｂ，４３ｂのような締結部材４１，４３で締結されることに限定されるものではなく、リベット等の締結部材で締結してもよい。更に、一対の吸音パネル１，１を異なる取付孔８ａ，８ａに固定するようにしてもよい。この場合には、他の吸音パネル１が取り付けられるのを待たずに、単独で横梁５のウェブ８に固定することが出来、作業性が良い。
【００４７】
＜３．取付方法＞
次いで、吸音パネル１を、横梁５，５間に取り付ける取付方法について説明する。
【００４８】
先ず、図７に示すように、吸音パネル１の長手方向の一端側を一方の横梁５の下側フランジ部６に向けて、図７中の矢印Ａ１に示すように、一方の横梁５の下方から斜め上方に移動させて、吸音パネル１の一側面１０ｂの切欠部３０内に、下側フランジ部６の他方の先端部６ｂを挿入させる。
【００４９】
次いで、図８に示すように、吸音パネル１の一側面１０ｂの切欠部３０内に下側フランジ部６の他方の先端部６ｂが挿入された状態で、図８中の矢印Ｂ１に示すように、吸音パネル１の他端側を回動させて持ち上げつつ、一側面１０ｂの第二凹部３２内に下側フランジ部６の他方の先端部６ｂを挿入させて、吸音パネル１を略水平（横梁５と略平行方向）に姿勢させる。
【００５０】
このとき、吸音パネル１の第二凹部３２は、懐長Ｃが係り長Ｂよりも長く、更に、高さ方向において、下側フランジ部６の厚さＤよりも大きな縦幅Ｅを有するように形成されているので、吸音パネル１を一方の横梁５側に係り長Ｂの長さと略同じ又はやや大きく移動させて、本体部１０の他端側と他方の横梁５の下側フランジ部６との間に間隙を形成することが出来、本体部１０の他端側を、他方の横梁５の下側フランジ部６の下方から上方へ配置することが出来る。
【００５１】
次いで、図８中の矢印Ｃ１に示すように、吸音パネル１の水平状態を維持したまま、他端側に移動させる。次いで、吸音パネル１の他側面１０ｃの切欠部３０の第二凹部３２内に、他方の横梁５の下側フランジ部６の一方の先端部６ｂを挿入させる。次いで、吸音パネル１の両側面１０ｂ，１０ｂの第一凹部３１の天面部３１ａ（谷部１３）を、下側フランジ部６に係合させる。これにより、吸音パネル１は、横梁５，５間に仮置きされる。ここで、図５に示すように、下側フランジ部６の先端部６ｂと第一凹部３１の最深部３１ｂとの間隔ｂと、係り長Ｂとの大小関係は、吸音パネル１の長手方向の両端側においてそれぞれ間隔ｂ＜係り長Ｂを満たすように設定されている。これによって、吸音パネル１の長手方向の両端のうち、何れか一方の間隔ｂ相当量だけ、この間隔を詰めるように吸音パネル１が水平移動して、詰められた側の間隔と反対側の係り長Ｂが狭まっても、この横ズレによって吸音パネル１がズレ落ちることを防止することが出来る。
【００５２】
次いで、同様にして、吸音パネル１を、横梁５の長手方向に複数個仮置きするとともに、横梁５とこの横梁５の高架道路等２の長手方向の前方に位置する横梁５との間に、横梁５の長手方向に複数個仮置きする。以上のような作業を繰り返して、吸音パネル１を横梁５，５間に仮置きして行く。
【００５３】
次いで、図６に示すように、仮置きされた各吸音パネル１の背面１０ａの山部１２上に、Ｌ字金具４０を配設する。次いで、ボルト４１ａを、山部１２の挿通部１４、一方の片４０ａの挿通孔４２ａの順に挿通させた後に、一方の片４０ａの上面側でナット４１ｂを締め付けて、一方の片４０ａを各吸音パネル１の背面１０ａの山部１２上に固定する。
【００５４】
次いで、一方の横梁５を挟んで相対する一対の吸音パネル１，１の他方の片４０ｂ，４０ｂをこの一方の横梁５のウェブ８に当接させる。次いで、ボルト４３ａを、一方の吸音パネル１の他方の片４０ｂの挿通孔４２ｂ、ウェブ８の取付孔８ａ、他方の吸音パネル１の他方の片４０ｂの挿通孔４２ｂの順に挿通させた後に、ナット４３ｂを締め付けて、一対の吸音パネル１，１の他方の片４０ｂ，４０ｂをウェブ８に固定する。以上のようにして、各吸音パネル１を、横梁５，５間に取り付ける。
【００５５】
なお、次いで、上述したような取付方法によって、横梁５，５間に取り付けられた吸音パネル１を取り外す取外方法について説明する。
【００５６】
先ず、吸音パネル１を、横梁５のウェブ８に固定しているＬ字金具４０のボルト４１ａ，４３ａ及びナット４１ｂ，４３ｂを取り外す。
【００５７】
次いで、吸音パネル１の水平状態を維持したまま、吸音パネル１を上方に持ち上げ、両側面１０ｂ，１０ｃの第一凹部３１の天面部３１ａ（谷部１３）を、下側フランジ部６の上面６ａから離間させる。次いで、吸音パネル１の水平状態を維持したまま、図８中の矢印Ｃ２に示すように、吸音パネル１を、係り長Ｂの長さ分、一方の横梁５側に移動させて、吸音パネル１の一側面１０ｂの切欠部３０の第二凹部３２内に、一方の横梁５の下側フランジ部６の他方の先端部６ｂを挿入させる。このとき、吸音パネル１は、係り長Ｂの長さ分一端側に移動されているので、他端側において、他方の横梁５との間に間隙が形成される。更に、クリアランスＡが、係り長Ｂよりも長く設けられているので、吸音パネル１の一側面１０ｂがウェブ８に接触することを防止することが出来る。
【００５８】
次いで、吸音パネル１の一側面１０ｂの第二凹部３２内に下側フランジ部６の他方の先端部６ｂが挿入された状態で、図８中の矢印Ｂ２に示すように、吸音パネル１の一端側を中心に吸音パネル１の他端側を回動させて降下させ、吸音パネル１の他端側を、他方の横梁５の下側フランジ部６の下方の位置に設ける。
【００５９】
次いで、吸音パネル１を、図７中の矢印Ａ２に示すように、斜め下方に移動させて、一側面１０ｂを下側フランジ部６の他方の先端部６ｂから取り出す。以上のようにして、横梁５，５間に取り付けられていた吸音パネル１を取り外すことが出来る。
【００６０】
＜４．効果＞
本発明の吸音パネル１によれば、本体部の側面１０ｂ，１０ｃに形成された切欠部３０の第一凹部３１が、横梁５の下側フランジ部６の上面６ａに係合されることで、取付作業の際に仮置きすることが出来、従来よりも大きな歩廊荷重を支持することが出来、脱落を防止することが出来る。また、吸音パネル１の仮置き時における意図しない横ズレによっても吸音パネル１が下側フランジ部６からズレ落ちることを防止することが出来る。
【００６１】
更に、本発明の吸音パネル１によれば、本体部の側面１０ｂ，１０ｃに形成された切欠部３０の第二凹部３２が、第一凹部３１と連続し第一凹部３１よりも深さを有し、横梁５の下側フランジ部６が挿入可能に設けられているので、取付作業の際に、本体部１０の一端側の第二凹部３２内に一方の横梁５の下側フランジ部６を挿入することによって、本体部１０の他端側と他方の横梁５の下側フランジ部６との間に間隙を形成することが出来、本体部の他端側を、他方の横梁５の下側フランジ部６の下方から上方へ設けることで、横梁５，５間に容易に取り付けることが出来る。
【００６２】
よって、本発明の吸音パネル１によれば、横梁５の下側フランジ部６の下方から容易に取り付けることが出来る。更に、本発明の吸音パネル１によれば、例えば横梁５の長手方向の中央部等の中途部においても、容易に取り付けることが出来る。
【００６３】
＜５．変形例＞
なお、本体部１０の背面１０ａは、波板のように設けることに限定されるものではなく、平坦な面であってもよい。
【００６４】
更に、吸音パネル１は、横梁５，５間に取り付けられるものに限定されるものではなく、高架道路等２の裏面側に、高架道路等２の道路幅方向に間隔をあけて、長手方向に略水平に設置された縦梁間に取り付けられるようなものでもよい。このとき、吸音パネル１は、長手方向を高架道路等２の道路幅方向に向けて、高架道路等２の長手方向に複数個取り付ける。
【符号の説明】
【００６５】
１  吸音パネル、２  高架道路等、３  一般道路、４  吊り材、５  横梁、６  下側フランジ部、６ａ  上面、６ｂ  先端部、７  上側フランジ部、８  ウェブ、８ａ  取付孔、１０  本体部、１０ａ  背面、１０ｂ  一側面、１０ｃ  他側面、１０ｄ  表面、１０ｅ  一端面、１０ｆ  他端面、１０ｇ  端部、１１ａ  第一本体部材、１１ｂ  第二本体部材、１２  山部、１３  谷部、１４  挿通部、２０  吸音材、２１  スペーサ、２２  空間部、３０  切欠部、３１  第一凹部、３１ａ  天面部、３１ｂ  最深部、３２  第二凹部、３２ａ  最深部、３３  突出部、３３ａ  先端部、４０  Ｌ字金具、４０ａ  一方の片、４０ｂ  他方の片、４１ａ  ボルト、４１ｂ  ナット、４２ａ  挿通孔、４２ｂ  挿通孔、４３ａ  ボルト、４３ｂ  ナット
【図１】
0005732341.tif 000002
【図２】
0005732341.tif 000003
【図３】
0005732341.tif 000004
【図４】
0005732341.tif 000005
【図５】
0005732341.tif 000006
【図６】
0005732341.tif 000007
【図７】
0005732341.tif 000008
【図８】
0005732341.tif 000009